(57)【要約】【課題】排水ホースの目詰まりを防止する。【解決手段】室内機の排出口から落下する排水を貯水する皿部と、皿部が排水を貯水する際の最大量を定めるための、皿部の一端から立設する側壁部と、皿部内の排水が最大量を超えた場合、排水が側壁部を越えて流入する槽部と、からなる回動受皿と、回動受皿が回動することにより槽部が上方向又は下方向へ移動するべく皿部を軸支する軸支体と、軸支体の支軸と皿部の一端とは反対側の他端との間の箇所で皿部の下面を支持する支持体と、からなる基台と、を備え、排水が槽部に流入しない場合、回動受皿は回動することなく、支持体は皿部の下面を支持し、排水が槽部に流入した場合、回動受皿が回動することにより槽部は下方向へ移動し、槽部内の排水を排水ホースに供給する。【選択図】図３
2008095995.tif 000002
【特許請求の範囲】
【請求項１】
熱交換を行う蒸発器を内蔵する室内機と、前記蒸発器が前記熱交換を行うことにより発生する排水を前記室内機から室外へ自然排出するための排水ホースと、を備える空気調和機の排水装置であって、
前記室内機の排出口から落下する前記排水を貯水する皿部と、前記皿部が前記排水を貯水する際の最大量を定めるための、前記皿部の一端から立設する側壁部と、前記皿部内の前記排水が前記最大量を超えた場合、前記排水が前記側壁部を越えて流入する槽部と、からなる回動受皿と、
前記回動受皿が回動することにより前記槽部が上方向又は下方向へ移動するべく前記皿部を軸支する軸支体と、前記軸支体の支軸と前記皿部の前記一端とは反対側の他端との間の箇所で前記皿部の下面を支持する支持体と、からなる基台と、
を備え、
前記排水が前記槽部に流入しない場合、前記回動受皿は回動することなく、前記支持体は前記皿部の下面を支持し、
前記排水が前記槽部に流入した場合、前記回動受皿が回動することにより前記槽部は下方向へ移動し、前記槽部内の前記排水を前記排水ホースに供給する、
ことを特徴とする空気調和機の排水装置。
【請求項２】
前記槽部の深さは、前記皿部の深さより深い、
ことを特徴とする請求項１に記載の空気調和機の排水装置。
【請求項３】
前記側壁部の高さは、前記回動受皿の周囲の側壁部の高さより低い、
ことを特徴とする請求項１又は２に記載の空気調和機の排水装置。
【請求項４】
前記側壁部は、前記排水を前記槽部に流入させるための切欠部を有する、
ことを特徴とする請求項１乃至３の何れかに記載の空気調和機の排水装置。
【請求項５】
前記排水が前記槽部に流入した場合の前記回動受皿の回動タイミングを調整するための錘を有する、
ことを特徴とする請求項１乃至４の何れかに記載の空気調和機の排水装置。
【請求項６】
前記錘は、前記支持体が支持する前記皿部の下面に設けられる、
ことを特徴とする請求項５に記載の空気調和機の排水装置。
【請求項７】
前記錘は、軟質部材からなる、
ことを特徴とする請求項６に記載の空気調和機の排水装置。
【発明の詳細な説明】
【技術分野】
【０００１】
本発明は、空気調和機の排水装置に関する。
【背景技術】
【０００２】
空気調和機は、例えば室内に設置される室内機と室外に設置される室外機とによって構成され、冷媒（例えば、フロン）が室内機と室外機の間を循環することに基づいて、室内の温度（以下、室温とする）の調整を行う機械である。空気調和機は暖房,冷房を行う場合があるが、排水が必須となるのは冷房時のみのため、冷房の場合について説明する。また、これに伴い室外機において液体冷媒の蒸発・凝縮を行う熱交換器の機能は凝縮のみに限定されるため、凝縮器と記載し説明する。
【０００３】
冷房を行う場合、室内機において冷媒と周囲空気との熱交換が行われ、冷媒が室内の空気の熱を奪い、この熱が室外機で放熱される。このことにより室温が低下することになる。また、このとき室温が低下するのに伴って室内の空気の飽和水蒸気量が下がるため、空気中に保持できなくなった水蒸気が水（ドレン水：以下、排水とする）となって室内機に発生する。そこで空気調和機の室内機には発生した排水を室外に排出するための排水ホースが設けられている（例えば、特許文献１参照）。
【０００４】
図８は、室内機と室外機によって構成される空気調和機を説明するための図である。以下、図８を参照しつつ空気調和機で冷房を行う場合について説明する。
【０００５】
図８に示す空気調和機は、主として蒸発器１０２を内蔵する室内機１００、圧縮機２０２及び凝縮器２０４を内蔵する室外機２００、冷媒パイプ３００、３０２、３０４、排水ホース３１０によって構成されている。
【０００６】
圧縮機２０２は、気体状態の冷媒を圧縮するものである。空気調和機に使用される圧縮機２０２の圧縮方法としては、例えばロータリー式のものや、スクロール式のものが知られている。
【０００７】
凝縮器２０４は、圧縮機２０２で圧縮された冷媒（気体）を、例えばファン（不図示）によって冷却する。このことにより冷媒の熱が放出され、冷媒は液化する。
【０００８】
蒸発器１０２は、液体状態の冷媒を熱交換によって気化させるものである。
【０００９】
冷媒パイプ３００、３０２、３０４は、圧縮機２０２、凝縮器２０４、蒸発器２０６を冷媒が循環するために設けられたものである。冷媒パイプ３０２は、住宅の壁を貫通する壁穴４００を通して蒸発器１０２と圧縮機２０２の間に配設されている。冷媒パイプ３０４は、圧縮機２０２と凝縮器２０４の間に配設されている。冷媒パイプ３００は、壁穴４００を通して凝縮器２０４と蒸発器１０２の間に配設されている。
【００１０】
排水ホース３１０は、室内機１００に発生する排水を、室内機１００の排出口から壁穴４００を通して室外に自然排出するように設けられたものである。
【００１１】
以上の構成の空気調和機で冷房を行う場合の動作について説明する。  
まず、気体状態の冷媒が圧縮機２０２で圧縮されると、冷媒の温度は急上昇する。高温高圧となった冷媒は冷媒パイプ３０４を通して凝縮器２０４に送られる。凝縮器２０４において冷媒は、例えばファンによって冷却されて液化し、さらに、減圧されることにより冷媒の温度は一気に低下する。
【００１２】
そして、液体状態の冷媒は、冷媒パイプ３００を通って室内機１００の蒸発器１０２に送られ、蒸発器１０２において、周囲の空気との熱交換が行われて蒸発し気体となる。このとき蒸発器１０２の周囲の空気は冷媒に熱（気化熱）を奪われるため温度が低下する。そして、この空気は室内機１００のファン（不図示）によって室内に送風される。このことにより、室温が低下することになる。気体となった冷媒は、冷媒パイプ３０２を通って室外機２００の圧縮機２０２へと送られる。以下、同じサイクルで冷媒を循環させる。
【００１３】
また、蒸発器１０２の熱交換によって、前述したように室内機１００には排水が発生する。室内機１００に発生した排水は自重によって排出ホース３１０を通って室外へ自然排出される。
【００１４】
なお、近年、空気調和機の運転の制御にインバータを使用したものが増加してきている。
【００１５】
インバータ制御とは圧縮機２０２の駆動を制御することにより空気調和機の出力を調整するものである。インバータ制御でない空気調和機の場合、室温が設定温度以下になると運転を停止し、室温が設定温度より高くなると運転を行うことを繰り返す。一方、インバータ制御の空気調和機の場合、室温が設定温度となるまで高出力運転によって室温を低下させた後、設定温度付近で低出力運転を行う。具体的には、室温が設定温度以下になると圧縮機２０２の冷媒の圧縮回数を減少し、室温が設定温度より高くなると圧縮機２０２の冷媒の圧縮回数を増加する制御を繰り返す。このことにより、圧縮機２０２、凝縮器２０４、蒸発器１０２を循環する冷媒の量が制御され、室温が調整される。
【００１６】
よって、インバータ制御の空気調和機は、インバータ制御でない空気調和機に比べ室温の変動を少なくすることができ、又、圧縮機の運転時出力を抑えることができるため凝縮器の効率が高くなり、室温を維持するのに必要な消費電力を低減することができる。
【特許文献１】特開２００１−１４７０２６号公報
【発明の開示】
【発明が解決しようとする課題】
【００１７】
しかしながら、インバータ制御の空気調和機では、室温が設定温度付近で安定した後は、低出力による連続運転を行うため、この間、蒸発器１０２において熱交換による結露が起こりにくくなり、室内機１００には微量の排水しか発生しなくなる。この微量の排水では、排水ホース３１０に付着するゴミや埃を除去することができない可能性があった。そのため、排水ホース３１０にゴミや埃が蓄積し、排水ホース３１０が目詰まりを起こす虞があった。  
また、微量の排水が室外の排水ホース３１０から継続して排出されるため、排水ホース３１０の排水部周囲の美観を損なうという問題もあった。
【００１８】
本発明はかかる課題に鑑みてなされたものであり、その目的は、排水ホースの目詰まりを防止することができる空気調和機の排水装置を提供することにある。
【課題を解決するための手段】
【００１９】
前記課題を解決するための主たる発明は、熱交換を行う蒸発器を内蔵する室内機と、前記蒸発器が前記熱交換を行うことにより発生する排水を前記室内機から室外へ自然排出するための排水ホースと、を備える空気調和機の排水装置であって、前記室内機の排出口から落下する前記排水を貯水する皿部と、前記皿部が前記排水を貯水する際の最大量を定めるための、前記皿部の一端から立設する側壁部と、前記皿部内の前記排水が前記最大量を超えた場合、前記排水が前記側壁部を越えて流入する槽部と、からなる回動受皿と、前記回動受皿が回動することにより前記槽部が上方向又は下方向へ移動するべく前記皿部を軸支する軸支体と、前記軸支体の支軸と前記皿部の前記一端とは反対側の他端との間の箇所で前記皿部の下面を支持する支持体と、からなる基台と、を備え、前記排水が前記槽部に流入しない場合、前記回動受皿は回動することなく、前記支持体は前記皿部の下面を支持し、前記排水が前記槽部に流入した場合、前記回動受皿が回動することにより前記槽部は下方向へ移動し、前記槽部内の前記排水を前記排水ホースに供給する、ことを特徴とする。この排水装置によれば、排水を貯水し、貯水の量が最大量を超えた後に、貯水した排水を一気に排水ホースに供給することができる。よって、排水ホースに付着するゴミや埃を排水で除去できるので、排水ホースの目詰まりを防止することができる。また、継続して排水を排出しないので、排水ホースの周囲の美観を損なわないようにすることができる。
【００２０】
また、かかる空気調和機の排水装置において、前記槽部の深さは、前記皿部の深さより深いことが好ましい。この排水装置によれば、槽部に排水が流入することにより回動受皿のバランスが崩れやすくなり、回動受皿を回動しやすくすることができ、回動受皿に貯水した排水を一気に排出することができる。
【００２１】
また、かかる空気調和機の排水装置において、前記側壁部の高さは、前記回動受皿の周囲の側壁部の高さより低いことが好ましい。この排水装置によれば、回動受皿の周囲に排水を溢れ出さないようにすることができるので、回動受皿に貯水した排水を必ず一定量で排出することができる。
【００２２】
また、かかる空気調和機の排水装置において、前記側壁部は、前記排水を前記槽部に流入させるための切欠部を有することが好ましい。この排水装置によれば、皿部に貯水される排水が切欠部を通って槽部に流入することになる。よって、同じ場所から槽部に排水を流入させることができる。例えば切欠部を側壁部の中点に設けることにより、排水時の重量バランスが取れ安定して回動受皿を回動させることができ、また、取付け時に若干の傾きがあっても皿部に貯水した水の排水部となる最下点を一定にすることができるため確実に排水を槽部に排出することができる。
【００２３】
さらに、かかる空気調和機の排水装置において、前記排水が前記槽部に流入した場合の前記回動受皿の回動タイミングを調整するための錘を有していてもよい。この排水装置によれば、回動のタイミングを調整することで、より確実に排水を排出することができる。
【００２４】
また、かかる空気調和機の排水装置において、前記錘は、前記支持体が支持する前記皿部の下面に設けられることが好ましい。この排水装置によれば、皿部を排水の貯水のために有効に使用することができる。
【００２５】
また、かかる空気調和機の排水装置において、前記錘は、軟質部材からなることが好ましい。この排水装置によれば、回動受皿が回動することによって錘と支持体とが当接することにより発生する音を静音化することができる。
【発明の効果】
【００２６】
本発明によれば、排水ホースの目詰まりを防止することができる。
【発明を実施するための最良の形態】
【００２７】
本明細書及び添付図面の記載により、少なくとも以下の事項が明らかとなる。
【００２８】
図１は、空気調和機の室内機に本発明の排水装置を内蔵する排水用容器を取り付けた一例を示す図である。また、図２は図１の排水用容器を拡大して示す図である。なお、図１、図２において図８と同一構成の部分には同一符号を付し説明を省略する。また、以下の図面において、図面に示すようにｘ方向、ｙ方向、ｚ方向を設定し、各方向において矢印の方向を＋方向、矢印と逆方向を−方向とする。なお、ｚ方向は鉛直方向である。
【００２９】
排水用容器１０は、本発明の排水装置２０を収容する例えば立方体の容器であり住宅の壁の室内側に取り付けられている。
【００３０】
排水ホース３１０ａは、室内機１００で発生する排水を室内機１００の排出口１０４から排水用容器１０に自然排出するものである。図２に示すように、排水ホース３１０ａは排水用容器１０の＋ｚ側の面に設けられた貫通穴１２を介して排水用容器１０内に挿入されている。そして、室内機１００で発生する排水は、排水口１０４、排水ホース３１０ａを介して、排水用容器１０内の排水装置２０に落下するようになっている。
【００３１】
排水ホース３１０ｂは、排水用容器１０から排出される排水を、壁穴４００を通して室外に自然排出するものである。排水ホース３１０ｂは、図２に示すように排水用容器１０の＋ｘ側の面における−ｚ側端に設けられた貫通穴１４を介して排水用容器１０内に挿入されている。
【００３２】
なお、排水用容器１０は、排水ホース３１０ａ、３１０ｂを介して、室内機１００からの排水を、自重によって室内機１００から室外へと自然排出することが可能な位置に取り付けられている。
【００３３】
＝＝＝排水装置の構成＝＝＝
図３を参照しつつ本発明の実施形態に係る排水装置の構成について説明する。  
図３は、本発明の実施形態に係る排水装置の構成の一例を示す斜視図である。  
図３に示す排水装置２０は、主として回動受皿３０と、基台４０とによって構成されている。
【００３４】
≪回動受皿≫
回動受皿３０は、後述する基台４０の軸支体４２によって、支軸（図３の一点鎖線）を中心として後述する槽部３６が−ｚ側に移動するａ方向（下方向）又は槽部３６が＋ｚ側に移動するｂ方向（上方向）に回動可能に設けられている。また、回動受皿３０は、皿部３２、側壁部３３、３４、槽部３６、錘３９を有している。
【００３５】
皿部３２は、周囲に側壁部３３を有しており、この側壁部３３と後述する側壁部３４とによって囲まれた領域に、排水ホース３１０ａから落下する排水を貯水するものである。なお、皿部３２を図３に示すような皿形状としているのは、排水を貯水する部分の表面積を広く取ることにより、例えば皿部３２に排水を貯水した状態において空気調和機の停止等で室内機１００からの排水が止まった場合に、貯水した排水を自然乾燥させやすくするためである。また、排水装置２０を収容する排水用容器１０の上面又は側面に例えば通気孔（不図示）を設けると、排水用容器１０に外気が導入されることによって排水装置２０に貯水した排水を自然乾燥させやすくできる。
【００３６】
側壁部３４は、皿部３２が排水を貯水する最大量を定めるためのものであり、皿部３２の＋ｘ側端（一端）から＋ｚ方向に立設している。なお、側壁部３４の高さは、皿部３２の周囲の側壁部３３の高さよりも低くなっている。また、側壁部３４は、例えばｙ方向の中点における＋ｚ側の面を切り欠いた切欠部３８を有している。側壁部３４に切欠部３８を設けることにより、皿部３２が貯水する排水が最大量を超えた場合、排水を必ず同じ場所から後述する槽部３６に流入させることができる。よって切欠部３８を側壁部３４のｙ方向の中点に設けておくと皿部３２に貯水された排水が側壁部３４のｙ方向の中点から槽部３６に流入することになり、槽部３６におけるｙ方向の中点よりも＋ｙ側又は−ｙ側に排水の重量が偏らないため、回動受皿３０を安定して回動させることができる。
【００３７】
槽部３６は、皿部３２に貯水される排水が最大量を超えた場合、排水が側壁部３４を越えて流入するものであり、側壁部３４の−ｚ側に連続した側壁部３６Ａとｙ方向側から見て略円弧状の傾斜部３６Ｂを有している。なお、槽部３６の深さは、皿部３２の深さよりも深くなっている。このような構成により、皿部３２に貯水される排水が最大量を超えた場合に側壁部３６Ａに沿って槽部３６の下部に排水が流入することになるので回動受皿３０を回動させやすく、また回動受皿３０がａ方向に回動した場合に、傾斜部３６Ｂから槽部３６内の排水を完全に排出できる（排水が残留しない）ようになっている。
【００３８】
錘３９は、皿部３２に貯水される排水が最大量を超えることにより排水が槽部３６に流入した場合の回動受皿３０の回動のタイミングを調整するためのものである。錘３９を設けておくことにより、例えば皿部３２に貯水される排水が最大量となっていないにもかかわらず、家屋の振動（例えば地震が発生する場合や空気調和機の周辺で人が飛び跳ねたりする場合）などによって回動受皿３０が回動してしまうことを防止できる。よって、確実に一定量の排水を排出することができる。この錘３９を、軟質部材（例えばゴム材や軟質のプラスチック部材など）によって形成し、後述する支持体４６の位置に対応する皿部３２の−ｚ側の面に設けると、回動受皿３０が回動することによって、錘３９と支持体４６とが当接する際に発生する音を静音化することができる。また、錘３９を皿部３２の−ｚ側の面に設けることによって、皿部３２を排水の貯水のために有効に使用することができる。
【００３９】
≪基台≫
基台４０は、主として、軸支体４２と支持体４６を有している。
【００４０】
軸支体４２は、基台４０の＋ｘ側における＋ｙ側及び−ｙ側に対をなして設けられている。この軸支体４２は、−ｙ側の支点４４と＋ｙ側の支点４４とを結ぶ支軸（一点鎖線）を中心として、回動受皿３０がａ方向又はｂ方向に回動するべく皿部３２を軸支するものである。
【００４１】
支持体４６は、回動受皿３０の槽部３６に排水が流入しない場合、軸支体４４の支軸と皿部３２の−ｘ側端（他端）との間の箇所で皿部３２の−ｚ側の面（下面）を支持するものである。本実施形態では、支持体４６を、図３に示すように皿部３２の−ｘ側端を支持するべく基台４０の−ｙ側及び＋ｙ側に対をなして設けることとするがこれに限定されない。例えば、基台４０の−ｘ側端におけるｙ方向の中点に支持体４６を一つ設けるようにしてもよい。
【００４２】
＝＝＝排水装置の動作＝＝＝
図４（ａ）〜（ｄ）を参照しつつ本発明の実施形態に係る排水装置の動作について説明する。  
図４（ａ）〜（ｄ）は、本発明の実施形態に係る排水装置の動作を説明するための図である。
【００４３】
なお、回動受皿３０の皿部３０に排水が貯水されていない場合、回動受皿３０の支点４４から−ｘ側の部分の重量は、支点４４から＋ｘ側の部分の重量よりも大であることとする。このため、回動受皿３０の皿部３０に排水が貯水されていない場合、図４（ａ）に示す状態で安定している。
【００４４】
空気調和装置１００の冷房によって発生する排水が、空気調和装置１００の排水口１０４、排水ホース３１０ａを介して皿部３０に落下することにより、図４（ｂ）に示すように回動受皿３０の側壁部３３及び側壁部３４で囲まれた皿部３０に排水が貯水されていく。
【００４５】
そして、皿部３０に貯水される排水が最大量を超えた場合、皿部３０に貯水された排水が側壁部３４の切欠部３８を越えて槽部３６に流入し始める。槽部３６の深さは、皿部３０の深さより深いので、排水は回動受皿３０の＋ｘ側のｙ方向に沿って集中することになる。そして、ある所で回動受皿３０における支点４４から＋ｘ側の部分の重量が、支点４４から−ｘ側の部分の重量よりも大となる。すると、図４（ｃ）に示すように、錘３９と支持体４６が離間し、回動受皿３０は、軸支体４２の支軸を中心にａ方向に回動する。回動受皿３０がａ方向に回動することにより、皿部３０に貯水されていた排水が自重により側壁部３４を越えて槽部３６に流入する。よって、回動受皿３０は、図４（ｄ）に示すように、さらにａ方向に一気に回動し、槽部３６内の排水が回動受皿３０から排出される。この排水は図２に示す排水ホース３１０ｂに供給され、壁穴４０を通して室外に排出される。
【００４６】
槽部３６の排水が無くなると、回動受皿３０における支点４４から−ｘ側の部分の重量が、支点４４から＋ｘ側の部分の重量よりも大となる。よって、回動受皿３０は軸支体４２の支軸を中心にｂ方向に回動する。そして、錘３９が支持体４６と当接することにより、図４（ａ）の状態に戻る。以下同じ動作を繰り返し行う。
【００４７】
このように、本発明の排水装置２００は、皿部３２に排水を貯水し、その貯水の量が最大量を超えることによって、貯水していた排水を一気に排水ホース３１０ｂに供給する。よって排水ホース３１０ｂにゴミや埃が蓄積することを防止することができる。
【００４８】
＝＝＝その他の実施形態＝＝＝
前述した実施形態では、回動受皿３０の側壁部３４に切欠部３８を１つ設けることとしたが、側壁部３４に切欠部３８を複数設けてもよい。例えば図３に示す切欠部３８に対して、＋ｙ側及び−ｙ側にそれぞれ対称に切欠部３８を設けてもよい。この場合でも、安定して回動受皿３０を回動させることができる。また、逆に、切欠部３８を設けず、側壁部３４の高さを皿部３２の側壁部３３の高さよりも低くするだけでもよい。この場合、より簡素な構成によって排水を周囲に溢れ出さないようにすることができる。
【００４９】
また、側壁部３４を＋ｙ側端及び−ｙ側端から、ｙ方向の中点に行くにつれて高さが低くなるテーパ形状とするようにしてもよい。こうすることにより、切欠部３８を設ける場合と同様に側壁部３４のｙ方向の中点を越えて槽部３６に排水が流入することになり、安定して回動受皿３０を回動させることができる。
【００５０】
また、例えば、図３に示す支持体４６の＋ｘ側の面が軸支体４２の−ｘ側の面と一体となるまで、基台４０の−ｙ側及び＋ｙ側の支持体４６をそれぞれ＋ｘ方向に延在させてもよい。さらに、その状態から、−ｙ側の支持体４６の＋ｙ側の面と、基台４０の＋ｙ側の支持体４６の−ｙ側の面とが一体となるまで、例えば−ｙ側の支持体４６を＋ｙ方向に延在させてもよい。その場合、支持体４６の＋ｚ側に、回動受皿３０の支軸よりも−ｘ側全体を支持する面が形成される。そして、その面に対応する皿部３０の下面、またはその一部に錘３９を設けてもよい。
【００５１】
なお、排水装置２０を室内機１００と一体とすることが可能である。例えば、図１に示す排水用容器１０を室内機１００の下部又は側部に一体成型するようにしてもよいし、排水用容器１０及び室内機１００にそれぞれ、例えば互いに係止し合うフックあるいは着脱自在布テープ等を設けることにより室内機１００の下部又は側部に排水用容器１０を係止させるようにしてもよい。ただし、これらの場合、室内機１００で発生する排水を、排出口１０４を介して排水用容器１０に収容される排水装置２０の皿部３２に落下させるべく、排水ホース３１０ａ及び排水用容器１０を配設するようにする。
【００５２】
また、室内機１００の内部に排水装置２０を設けるようにしてもよい。この場合、蒸発器１０２で発生する排水を排出する排出口を室内機１００の内部に設け、当該排出口から排出される排水が、排水装置２０の皿部３２に落下するように排水装置２０を設置するようにする。
【００５３】
さらに、回動受皿３０の回動の動作の回数をカウントすることによって、擬似的に空気調和機による除湿量（排水の排出量）を計測することも可能である。
【００５４】
図５は、本発明の他の実施形態に係る排水装置を内部に設けた室内機の構成の一例を説明するための図である。なお、図５において、図８と同一構成の部分には同一符号を付し説明を省略する。図５に示す室内機１０１は、蒸発器１０２、排水受皿１０６、排出口１０８、通信部１１２、制御部１１０、リセット釦１１１、表示部１３０、ディスプレイ１４０、排水装置２１、排水ホース３１０を有している。なお、図５において、一点鎖線で囲んだ部分は、室内機１０１の内部に存在することを示すものであり、同図の位置に設けられていることを示しているのではない。
【００５５】
排水受皿１０６は、蒸発器１０２の下方に配設され、蒸発器１０２の熱交換によって発生する排水を受けるものである。
【００５６】
排出口１０８は、排水受皿１０６から排水を排出するものであり、この排水は後述する排水装置２１の皿部３２に落下するようになっている。
【００５７】
排水装置２１は、図６（ａ）、（ｂ）に示すように、排水装置２０における支持体４６の＋ｚ側の面に釦５０が設けられたものである。図６（ａ）、（ｂ）は、排水装置２１の構成の一部を示す斜視図である。釦５０は、ｚ方向に移動可能な突片５０ａを有している。突片５０ａは、例えば釦５０の下部で弾性保持されており、通常では図６（ｂ）に示すように釦５０から＋ｚ方向に突出した状態であり、弾性力に抗して−ｚ方向に押下された場合、図６（ａ）に示すように−ｚ方向に移動する。なお、図６（ａ）、（ｂ）では、基台４０の＋ｙ側及び−ｙ側の支持体４６にそれぞれ釦５０を設けているが、何れか一方の支持体４６に釦５０を設けるようにしてもよい。
【００５８】
皿部３２に貯水される排水が最大量に達しないことにより、回動受皿３０が回動せず錘３９と支持体４６が当接している場合、釦５０の突片５０ａは図６（ａ）に示すように錘３９によって押下され−ｚ方向に移動している。このとき、錘３９による突片５０ａの押下により不図示のスイッチが非導通となり、例えば接地レベル(ローレベル：以下、「Ｌ」とする)の電圧が発生することとする。
【００５９】
一方、皿部３２に貯水される排水が最大量を超えることによって槽部３６に排水が流入することで、回動受皿３０が回動して錘３９と支持体４６が離間する場合、図６（ｂ）に示すように、錘３９による押下が解除され釦５０の突片５０ａは＋ｚ方向に移動する。このとき、前述したスイッチが導通し、例えば正の所定電圧（ハイレベル：以下「Ｈ」とする）が発生することとする。
【００６０】
なお、排水装置２１の回動受皿３０が回動することによって槽部３６の排水は槽部３６から排出され、図５に示す排水ホース３１０に供給される。
【００６１】
通信部１１２は、例えば空気調和機の動作（起動、停止など）を指示するリモートコントローラ（不図示、以下リモコンとする）と、例えば無線によって通信を行うものである。また、通信部１１２は、この通信に基づいて後述する制御部１１０に各種の信号を出力する。
【００６２】
表示部１３０は、後述する制御部１１０の出力に基づいて除湿量や排水の流量などの値をディスプレイ１４０に表示するものである。
【００６３】
リセット釦１１１は、押下されることによって、後述する制御部１１０のカウンタ１１７をリセットするためのリセット信号を発生する。
【００６４】
制御部１１０は、空気調和機の全体の動作を制御するものである。また制御部１１０は、排水装置２１の回動の動作に基づいて除湿量や流量の算出を行う。図７は、制御部１１０の構成の一例を説明するためのブロック図である。図７に示す制御部１１０は、判別部１１４、カウンタ１１６、１１７、記憶部１１８、タイマ１１９、演算部１２０、保持部１２２を有している。
【００６５】
検出部１１４は、排水装置２１の回動受皿３０が回動することにより、前述したスイッチによって発生する電圧が「Ｌ」から「Ｈ」に変化することを検出する。
【００６６】
カウンタ１１６及びカウンタ１１７は、検出部１１４の検出結果に基づいて、回動受皿３０の回動の動作の回数を初期値（例えば０）からアップカウントしていく。
【００６７】
なお、カウンタ１１６は、空気調和機の起動時からの除湿量を算出するために設けられたものである。カウンタ１１６は、例えば通信部１１２から空気調和機を起動させるための起動信号によってリセットされて、カウント数が初期値に戻る。つまり、カウンタ１１６は、空気調和機の起動時に、常に初期値からカウントを行うことになる。なお、空気調和機を停止させるための停止信号が通信部１１２から制御部１１０に入力される場合に、カウンタ１１６がリセットされるようにしてもよい。
【００６８】
また、カウンタ１１７は、例えばある期間における除湿量を知りたい場合など、空気調和機の利用者の要求に応じて、除湿量を算出するために設けられたものである。カウンタ１１７は、リセット釦１１１の押下で発生するリセット信号によってリセットされる。つまり、カウンタ１１７は、空気調和機の起動や停止とは関係なく、リセット釦１１１が押下された以後の回動受皿３０の回動の動作の回数を累積してカウントすることになる。
【００６９】
記憶部１１８には、排水装置２１の回動受皿３０の一回の排水量のデータが記憶される。
【００７０】
タイマ１１９は、通信部１１２から制御部１１０に起動信号が入力されてからの時間を計測するものである。
【００７１】
演算部１２０は、通信部１１２から入力される演算を指示する指示信号に基づいて、カウンタ１１６のカウント数、カウンタ１１７のカウント数、記憶部１１８のデータ、及び、タイマ１１９の計測値を選択的に読み出して演算を行うものである。例えば、指示信号が空気調和機の起動以後の排水量の演算を指示するものである場合、演算部１２０は、カウンタ１１６のカウント数と記憶部１１８のデータを乗算する。また、指示信号が空気調和機の起動以後の排水の流量の演算を指示するものである場合、演算部１２０は、カウンタ１１６のカウント数と記憶部１１８のデータを乗算し、さらにその値をタイマ１１９の計測時間で除算する。さらに、指示信号がリセット釦１１１の押下からの空気調和機の排水量の演算を指示するものである場合、演算部１２０は、カウンタ１１７のカウント数と記憶部１１８のデータを乗算する。
【００７２】
保持部１１２は、演算部１２０の演算結果を一時的に保持するものである。
【００７３】
以上の構成により、釦５０に対応するスイッチに発生する電圧の「Ｌ」から「Ｈ」への変化が検出部１１４で検出される。この検出結果に基づいて、空気調和機の起動後の排水装置２１の回動受皿３０の回動の回数がカウンタ１１６でカウントされ、さらにリセット釦１１１の押下以後の排水装置２１の回動受皿３０の回動の回数がカウンタ１１７でカウントされる。
【００７４】
そして、通信部１１２から演算部１２０に、空気調和機が起動してからの除湿量の演算を指示する指示信号が入力されると、演算部１２０においてカウンタ１１６のカウント数と記憶部１１８に記憶された回動受皿３０の一回の排水量のデータが乗算される。その乗算結果が空気調和機の起動からの排水の排出量（除湿量）となる。また、指示信号が排水の流量の演算を指示するものである場合は、演算部１２０で前述の乗算結果がタイマ１１９の計測値で除算される。このことにより、空気調和機における起動からの排水の流量が算出される。
【００７５】
また、通信部１１２から演算部１２０に、リセット釦１１１が押下されてからの空気調和機による除湿量の演算を指示する指示信号が入力されると、演算部１２０においてカウンタ１１７のカウント数と記憶部１１８のデータが乗算される。この場合、カウンタ１１７のカウント数は空気調和機の起動や停止と関係なく累積されているので、例えば１ヶ月における空気調和機による除湿量の合計値などが算出されることになる。
【００７６】
演算部１２０で演算された値は、保持部１２２で保持されるとともに、表示部１３０によってディスプレイ１４０に表示される。
【００７７】
なお、カウンタ１１６及びカウンタ１１７のカウント数をそれぞれ表示部１３０によってディスプレイ１４０に表示するようにしてもよい。
【００７８】
また、検出部５０において、釦５０に対応するスイッチによって発生する電圧が「Ｌ」から「Ｈ」に変化することを検出するようにしたが、当該電圧が「Ｈ」から「Ｌ」に変化することを検出するようにしてもよい。この場合、回動受皿３０が回動して錘３９と支持体４６が離間した状態から、槽部３６の排水が排出されることによって錘３９と支持体４６が当接する状態に戻ったとき、つまり図４（ｄ）の状態から図４（ａ）の状態となったときに1回カウントされることになる。よって、この場合も同様に排水装置２１の回動受皿３０の回動の回数を検出することができる。
【００７９】
このように、排水装置２１の回動受皿３０が回動することに基づいて、空気調和機による除湿量や排水の流量を容易に把握することができる。また、排水口１０８から排水装置２１の皿部３２に貯水した排水を、排水装置２１の回動受皿３０の回動によって一気に排水ホース３１０に供給することにより排水ホース３１０の目詰まりを防止できる。
【００８０】
以上説明したように、本発明の排水装置は、皿部に貯水した排水を排水ホースに一気に供給することができる。このことにより、排水ホースの目詰まりを防止することができる。
【００８１】
前述した実施の形態は、本発明の理解を容易にするためのものであり、本発明を限定して解釈するためのものではない。本発明は、その趣旨を逸脱することなく変更、改良されるとともに、本発明にはその等価物も含まれる。
【図面の簡単な説明】
【００８２】
【図１】空気調和機の室内機に本発明の排水装置を収容する排水用容器を取り付けた一例を示す図である。
【図２】排水用容器を拡大して示す図である。
【図３】本発明の実施形態に係る排水装置の構成を示す斜視図である。
【図４】本発明の実施形態に係る排水装置の動作を示す図である。
【図５】本発明の他の実施形態に係る排水装置を内部に設けた室内機の構成を説明するための図である。
【図６】本発明の他の実施形態に係る排水装置の構成の一部を示す斜視図である。
【図７】制御部の構成の一例を説明するためのブロック図である。
【図８】空気調和機を説明するための図である。
【符号の説明】
【００８３】
１０  排水用容器              １２、１４  貫通穴
２０、２１  排水装置          ３０  回動受皿
３２  皿部                    ３３、３４  側壁部
３６  槽部                    ３８  切欠部
３９  錘                      ４０  基台
４２  軸支体                  ４４  支点
４６  支持体                  ５０  釦
５０ａ  突片                  １００、１０１  室内機
１０２  蒸発器                １０４、１０８  排出口
１０６  排水受皿              １１０  制御部
１１２  通信部                １１４  検出部
１１６、１１７  カウンタ      １１８  記憶部
１１９  タイマ                １２０  演算部
１２２  保持部                １３０  表示部
１４０  ディスプレイ          ２００  室外機
２０２  圧縮機                ２０４  凝縮器
３００、３０２、３０４  冷媒パイプ
３１０、３１０ａ、３１０ｂ  排水ホース
４００  壁穴
【図１】
2008095995.tif 000003
【図２】
2008095995.tif 000004
【図３】
2008095995.tif 000005
【図４】
2008095995.tif 000006
【図５】
2008095995.tif 000007
【図６】
2008095995.tif 000008
【図７】
2008095995.tif 000009
【図８】
2008095995.tif 000010